(57)【要約】【課題】スプールに制動力を付与する制動環体とスプール軸との食い付き現象を防止でき、安定したドラグ性能および良好なドラグフリー性能が得られる魚釣用リールの提供を目的としている。【解決手段】本発明の魚釣用リールでは、スプール軸４の一側部に、その断面形状が非円形の第１の回り止め部４４と、径方向外側に突出する係止突部４２を有する第２の回り止め部とが軸方向に並設され、スプール軸４の軸方向変位に伴って軸方向に移動しない固定側の制動環体３１Ｂが、第１の回り止め部４４に対し、前記非円形の断面形状により回り止め嵌合されるとともに、スプール軸４の軸方向変位に伴って軸方向に移動する移動側の制動環体３１Ａが、前記第２の回り止め部に対し、係止突部４２により回り止め嵌合されている。【選択図】    図１
2004154023.tif 000002
【特許請求の範囲】
【請求項１】
リール本体の側板間に設けられたスプール軸に対してスプールを回転自在に支持するとともに、前記スプール軸の軸方向変位に伴って、前記スプールと一体回転する制動体を前記スプール軸上に設けられた一対の制動環体で挟圧することにより、前記スプールの回転に制動力を付与する魚釣用リールにおいて、
前記スプール軸の一側部には、その断面形状が非円形の第１の回り止め部と、径方向外側に突出する係止突部を有する第２の回り止め部とが軸方向に並設され、
前記スプール軸の軸方向変位に伴って軸方向に移動しない固定側の制動環体が、前記第１の回り止め部に対し、前記非円形の断面形状により回り止め嵌合されるとともに、
前記スプール軸の軸方向変位に伴って軸方向に移動する移動側の制動環体が、前記第２の回り止め部に対し、前記係止突部により回り止め嵌合されることを特徴とする魚釣用リール。
【発明の詳細な説明】
【０００１】
【発明の属する技術分野】
本発明は魚釣用リールに関する。
【０００２】
【従来の技術】
リール本体の一側に設けられた操作部材によってスプール軸を軸方向に変位させることにより、リール本体の側板間に回転自在に支持されたスプールの回転に制動力（ドラグ力）を付与する制動装置は、従来から良く知られている。
【０００３】
このような制動装置は、具体的には、スプールの一側に設けられ且つスプールと一体回転する環状の制動体と、スプール軸上に回り止めされ且つスプール軸の軸方向変位に伴って（すなわち、制動力調節時に）軸方向に移動しない本体側制動環体と、スプール軸上に回り止めされ且つ制動力調節時に軸方向に移動するスプール側制動環体とを備えており、リール本体の一側に設けられた操作部材の回動操作でスプール軸が軸方向に変位されると、前記制動体が前記スプール側制動環体と本体側制動環体との間で挟圧され、スプールの回転に制動力が付与されるものである（例えば、特許文献１および特許文献２参照）。そして、この制動力は、前記操作部材の回動操作量を変えることにより調節できるようになっている。
【０００４】
【特許文献１】
実開昭５９−９０３７３号公報（第１図および第５図）
【０００５】
【特許文献２】
実開平２−８７４６８号公報（第１図および第３図）
【０００６】
【発明が解決しようとする課題】
ところで、特許文献１および特許文献２に開示されている制動装置において、スプール軸の一側部は、その断面形状が非円形（小判形状および外周凹凸条形状）を成す非円形部として形成され、また、前記スプール側制動環体および前記本体側制動環体は、前記非円形部と同形の開口部（内孔）を有している。そして、スプール軸の前記非円形部を、前記スプール側制動環体および前記本体側制動環体の対応する非円形の前記開口部に嵌合することにより、前記スプール側制動環体および前記本体側制動環体が前記スプール軸に対して回り止めされるようになっている。
【０００７】
しかしながら、特に前記スプール側制動環体は、制動力調節時に軸方向に移動されて前記制動体に圧接されるものであるため、このスプール側制動環体と前記スプール軸とを非円形同士の嵌合によって回り止めすると、その嵌合遊度にも起因して、実釣時における高負荷巻取り状態や、ドラグ最大設定時におけるドラグスリップ状態において、スプール軸の非円形部の外周面のエッジが前記スプール側制動環体の開口部の内面に食い込んでしまう、すなわち、スプール軸の非円形部とスプール側制動環体との回り止め嵌合部分が回転方向に食い込んでしまう（回転方向での両者の引っ掛かり量が少なくなる）という事態が生じ得る。そのため、安定したドラグ性能が得られなくなるとともに、前記操作部材を回動操作してドラグ力を最小値に戻す操作をしても、前記食い付き現象により、スプールと一体回転する前記制動体に対するスプール側制動環体の圧着力が解除されなくなり、ドラグフリーが得られず、釣糸の繰り出し操作等、基本的な釣り操作が行なえなくなる虞もある。
【０００８】
本発明は前記事情に着目してなされたものであり、その目的とするところは、スプールに制動力を付与する制動環体とスプール軸との食い付き現象を防止でき、安定したドラグ性能および良好なドラグフリー性能が得られる魚釣用リールを提供することにある。
【０００９】
【課題を解決するための手段】
前記課題を解決するために、本発明は、リール本体の側板間に設けられたスプール軸に対してスプールを回転自在に支持するとともに、前記スプール軸の軸方向変位に伴って、前記スプールと一体回転する制動体を前記スプール軸上に設けられた一対の制動環体で挟圧することにより、前記スプールの回転に制動力を付与する魚釣用リールにおいて、前記スプール軸の一側部には、その断面形状が非円形の第１の回り止め部と、径方向外側に突出する係止突部を有する第２の回り止め部とが軸方向に並設され、前記スプール軸の軸方向変位に伴って軸方向に移動しない固定側の制動環体が、前記第１の回り止め部に対し、前記非円形の断面形状により回り止め嵌合されるとともに、前記スプール軸の軸方向変位に伴って軸方向に移動する移動側の制動環体が、前記第２の回り止め部に対し、前記係止突部により回り止め嵌合されることを特徴とする。
【００１０】
【発明の実施の形態】
以下、図面を参照しつつ本発明の一実施形態について説明する。
【００１１】
図１には、本発明の一実施形態に係る魚釣用リール（両軸受型リール）１が示されている。このリール１は、釣糸が巻回されるスプール２と、スプール２を釣糸巻取り方向に回転させるためのハンドル５０とを有しており、スプール２は、軸受４Ａ，４Ｂを介して、断面形状が円形のスプール軸４に回転可能に支持されている。また、スプール軸４は、軸受６，８を介してリール本体１ａ側に回転可能に支持されるとともに、その軸方向に沿ってスライドできる。具体的には、リール本体１ａは、これに締結された左右の側板１０Ａ，１０Ｂを有しており、スプール軸４の一端側（図中、左側・・・反ハンドル側）は、左側板１０Ａに設けられた軸受６に支持されるとともに、スプール軸４の他端側（図中、右側・・・ハンドル側）は、右側板１０Ｂに設けられた軸受８に支持されている。なお、軸受４Ａ，４Ｂ間には、スプール軸４が貫通するカラー３９が介挿されている。
【００１２】
また、スプール軸４の他端側には、小径の高速ピニオンギア２０が形成されているとともに、大径の低速ピニオンギア２２が装着されている。この場合、低速ピニオンギア２２は、スプール軸４をその軸方向に対して直交する方向に貫通するピン４０を介して、スプール軸４に回り止め嵌合されている。したがって、これらのピニオンギア２０，２２はスプール軸４と一体で回転できる。
【００１３】
スプール軸４の一端側には、スプール２と摩擦係合しつつスプール２を軸方向で押圧する押圧部３０が取り付けられている。押圧部３０は、スプール２に一体的に取り付けられた環状のドラグワッシャ（制動体）２Ａの両側に位置する一対のドラグ押圧部材３１Ａ，３１Ｂを有している。これらのドラグ押圧部材３１Ａ，３１Ｂは、環状を成しており、スプール軸４に回り止め嵌合されるとともに、そのライニング材３１ａ，３１ｂを介してドラグワッシャ２Ａの両側からドラグワッシャ２Ａの側面に摩擦接触（圧接）することができる。
【００１４】
なお、後述するように、スプール２側からドラグワッシャ２Ａに摩擦接触する一方（図中右側）の第１のドラグ押圧部材３１Ａは、スプール軸４の軸方向変位に伴って軸方向に移動する移動側制動環体として形成され、他方（図中左側）の第２のドラグ押圧部材３１Ｂは、スプール軸４の軸方向変位に伴って軸方向に移動しない固定側制動環体として形成されている。
【００１５】
図２にも拡大して示されるように、スプール軸４の一端部（一側部）は、その断面形状が非円形を成す非円形部（第１の回り止め部）４４として形成されている。また、第２のドラグ押圧部材（固定側制動環体）３１Ｂは、スプール軸４の非円形部４４と同形の開口部（内孔）３１Ｂａを有している。そして、スプール軸４の非円形部４４を、第２のドラグ押圧部材３１Ｂの開口部３１Ｂａに嵌合させることにより、第２のドラグ押圧部材３１Ｂがスプール軸４に対して回り止めされている。
【００１６】
また、第１のドラグ押圧部材（移動側制動環体）３１Ａは、その円形の内孔３１Ａａを介してスプール軸４の円形断面部位の外周に嵌合されるとともに、ピン（係止突部）４２を介してスプール軸４に対する回転が防止されている。この場合、ピン４２は、第１の回り止め部としての非円形部４４と軸方向に並んで設けられるとともに、スプール軸４をその軸方向に対して直交する方向に貫通して径方向外側に突出しており、その突出部が第１のドラグ押圧部材３１Ａの係止溝３１Ａｂに係止している。すなわち、第１のドラグ押圧部材３１Ａは、スプール軸４の円形断面部位でピン４２を突出させて成る第２の回り止め部に回り止め嵌合されている。
【００１７】
また、ドラグ押圧部材３１Ａ，３１Ｂ間には、これらをドラグワッシャ２Ａから離間させる方向に付勢する圧縮バネ３６が介挿されている。なお、この圧縮バネ３６によって、第１のドラグ押圧部材３１Ａは軸受４Ａに突き当てられ、第２のドラグ押圧部材３１Ｂは軸受６に突き当てられている。
【００１８】
ハンドル５０が位置するスプール軸４の他端側には、スプール軸４を軸方向に移動させてスプール４の釣糸繰り出し方向の回転に制動力を付与するドラグ機構（制動装置）６０が設けられている。このドラグ機構６０は、右側板１０Ｂに回転可能に装着され且つカム機構６２を作動させるドラグレバー（操作部材）６１を有している。カム機構６２は、ドラグレバー６１と一体で回転するカム部と、スプール軸４と結合し且つ前記カム部の回転に伴って軸方向にスライドするスライド部とから成り、ドラグレバー６１の回転に伴って前記カム部が回転すると、前記スライド部が軸方向にスライドしてスプール軸４を反ハンドル側に向かって軸方向に移動させることができる。
【００１９】
また、右側板１０Ｂには、ハンドル５０によって回転される筒状のハンドル軸８４が回転可能に支持されている。この場合、ハンドル軸８４は、右側板１０Ｂに取付け固定された支持筒８２内に回転可能且つ進退可能に挿通されている。ハンドル軸８４の先端部は、リール本体１ａ内に配設された軸受によって支持されている。また、右側板１０Ｂの内側延在部には、その外歯が低速ピニオンギア２２に噛み合う低速ギア８６と、その外歯が高速ピニオンギア２０に噛み合う高速ギア８５とが回転可能に支持されている。この場合、これらのギア８５，８６の中央を貫通するようにハンドル軸８４の先端部が延びている。
【００２０】
また、ハンドル軸８４の先端部には、歯車８７が形成されている。この歯車８７は、ハンドル軸８４が軸方向に進退することにより、高速ギア８５の内歯と噛み合う第１の位置（図１の位置）と、低速ギア８６の内歯と噛み合う第２の位置との間で移動できる。また、ハンドル軸８４には、歯車８７を第１の位置と第２の位置とに位置決めするための位置決め機構が設けられている。この位置決め機構は、ハンドル軸８４に設けられ且つハンドル軸８４の外周面に形成された開口を通じて突没自在なボール８１と、支持筒８２の内周面に形成され且つボール８１と係合する一対の係合溝８２ａ，８２ｂと、ハンドル軸８４内に進退可能に挿通され且つボール８１の突没動作を制御するプッシュロッド８０とを有している。この場合、一対の係合溝８２ａ，８２ｂは、ハンドル軸８４の長手方向に互いに所定距離（具体的は前記第１の位置と第２の位置との間の距離に略等しい）だけ離間して位置されている。また、プッシュロッド８０は、ボール８１と接触してボール８１をハンドル軸８４の外周面から所定量突出させることができる外径に設定された大径部８０ａと、ロッド８０の手元側に形成され且つボール８１をハンドル軸８４内に完全に没入させることができる外径に設定された小径部８０ｂと、大径部８０ａと小径部８０ｂとの間に形成され且つボール８１を大径部８０ａと小径部８０ｂとの間で案内するテーパ部８０ｃとを有している。また、ハンドル軸８４内には、圧縮スプリング８３が設けられている。この圧縮スプリング８３は、ハンドル軸８４とプッシュロッド８０との間に介挿され、ボール８１とプッシュロッド８０の大径部８０ａとが接触する方向にプッシュロッド８０を常時付勢している。この場合、プッシュロッド８０は、圧縮スプリング８３の付勢力により、ハンドル軸８４の手元側開口を塞ぐよう設けられた蓋体８９に当接される。なお、プッシュロッド８０の端部には操作ノブ８０ｄが形成されている。
【００２１】
次に、上記構成の魚釣用リール１の動作について説明する。
【００２２】
まず、ハンドル５０を釣糸巻取り方向に回転すると、ハンドル軸８４が回転し、ハンドル軸８４の歯車８７と噛み合う高速ギア８５または低速ギア８６が回転する。なお、図１の状態では、歯車８７が高速ギア８５と噛み合っているため、高速ギア８５が回転する。高速ギア８５が回転すると、高速ギア８５と噛み合う高速ピニオンギア２０を介してスプール軸４が高速回転する。
【００２３】
ここで、スプール軸４を低速で回転させたい場合には、まず、圧縮スプリング８３の付勢力に抗してプッシュロッド８０を押し込む。プッシュロッド８０を押し込むと、ボール８１と対向接触するプッシュロッド８０の部位が、大径部８０ａから小径部８０ｂへと移行するため、ボール８１は、大径部８０ａと接触して第１の係合溝８２ｂと係合する図１の状態からテーパ部８０ｃの案内によって小径部８０ｂと接触する状態となり、それに伴って、ハンドル軸８４内に没する。そのため、ハンドル軸８４を支持筒８２内に押し込むことが可能になる。その後、この状態のまま、ハンドル軸８４の全体を支持筒８２内にスライドさせながら、プッシュロッド８０への押圧力を解除すると、ボール８１は、第２の係合溝８２ａと対向した時点で、圧縮スプリング８３の付勢力に伴ってプッシュロッド８０の大径部８０ａにより押し出され（突出され）、第２の係合溝８２ａと係合する。この時、ハンドル軸８４の歯車８７は、ハンドル軸８４のスライドに伴って先端側に移動され（第１の位置から第２の位置へと移動され）、低速ギア８６の内歯と噛み合う。したがって、この状態でハンドル５０を釣糸巻取り方向に回転すると、ハンドル軸８４が回転するとともに、ハンドル軸８４の歯車８７と噛み合う低速ギア８６が回転し、低速ギア８６と噛み合う低速ピニオンギア２２を介してスプール軸４が低速回転する。
【００２４】
また、このようにして、スプール軸４が回転すると、スプール軸４に回り止め嵌合されたドラグ押圧部材３１Ａ，３１Ｂも回転する。この時、ドラグレバー６１が図１に示される状態で位置している場合には、スプール軸４はその基本位置から軸方向に移動されないため、両方のドラグ押圧部材３１Ａ，３１Ｂとドラグワッシャ２Ａとの間には、圧縮バネ３６の作用により、一定のクリアランスが形成される。したがって、スプール２はフリーで回転でき、スプール２に巻回された釣糸を、何らの抵抗を与えることなく、自由に繰り出すことができる。
【００２５】
また、図１の状態から、ドラグレバー６１を所定方向に回動させると、カム機構６２を介してスプール軸４が軸方向（図１の左側…反ハンドル側）に移動される。スプール軸４が反ハンドル側に向かって軸方向に移動されると、第１のドラグ押圧部材３１Ａも、軸受４Ｂ、カラー３９、軸受４Ａによって押し出される形で、圧縮バネ３６の付勢力に抗して軸方向に移動してドラグワッシャ２Ａの一方側の側面に接触する。
【００２６】
このように、第１のドラグ押圧部材３１Ａがドラグワッシャ２Ａの一側面に接触した状態では、スプール２が、ドラグ押圧部材３１Ａとの摩擦接触に伴う所定のドラグ力により、スプール軸４とともに回転するようになる。なお、この時、掛かった魚が暴れるなどして前記ドラグ力を超える所定の張力が釣糸に作用すると、スプール２は、釣糸繰り出し方向に回転することができる。
【００２７】
なお、以上の状態から、ドラグレバー６１を更に回動させて、スプール軸４を更に軸方向に移動させると、圧縮バネ３６が更に圧縮するとともに、押圧部３０は、第１のドラグ押圧部材３１Ａを介して、スプール２をスプール軸４の移動方向に移動させる。そして、最終的に、ドラグレバー６１が終端位置まで回動された時点で、ドラグワッシャ２Ａの他方側の側面が、軸受６に当て付く第２のドラグ押圧部材３１Ｂに接触する（すなわち、ドラグワッシャ２Ａが２つのドラグ押圧部材３１Ａ，３１Ｂ間で挟圧される）。この状態では、スプール２に作用するドラグ力が更に増大し、スプール２は、スプール軸４と完全に摩擦結合され、滑ることなくスプール軸４と一体で回転するようになる。すなわち、スプール４は、釣糸繰り出し方向に回転できなくなる。
【００２８】
以上説明したように、本実施形態の魚釣用リール１では、スプール軸４の一側部に、その断面形状が非円形の第１の回り止め部４４と、径方向外側に突出する係止突部４２を有する第２の回り止め部とが軸方向に並設され、スプール軸４の軸方向変位に伴って軸方向に移動しない固定側の制動環体３１Ｂが、第１の回り止め部４４に対し、前記非円形の断面形状により回り止め嵌合されるとともに、スプール軸４の軸方向変位に伴って軸方向に移動する移動側の制動環体３１Ａが、前記第２の回り止め部に対し、係止突部４２により回り止め嵌合されている。
【００２９】
すなわち、本実施形態では、スプール軸４の軸方向変位に伴って軸方向に移動する移動側の制動環体３１Ａを、スプール軸４と同形状の嵌合によって回り止めするのではなく、スプール軸４の径方向外側に突出する係止突部４２によって回り止めする構成が採用されている。そのため、回転方向の十分な回り止め強度が得られ、高負荷巻取り時やドラグスリップ状態での使用に対しても安定したドラグ性能が得られるとともに、操作部材６１を回動操作してドラグ力を最小値に戻す操作をした時も、回り止め部に食い付き現象が発生しないため、スプール２と一体回転する制動体２Ａに対する移動側制動環体３１Ａの圧着力を確実に解除でき、良好なドラグフリー性能が得られ、支障無く魚釣操作が行なえる。
【００３０】
なお、本発明は、前述した実施形態に限定されず、その要旨を逸脱しない範囲で種々変形実施することができる。例えば、前述した実施形態では、第２の回り止め部の係止突部としてピン４２が採用されているが、係止突部はスプール軸４と一体に形成されていても良い。
【００３１】
【発明の効果】
以上説明したように、本発明の魚釣用リールによれば、スプールに制動力を付与する制動環体とスプール軸との食い付き現象を防止でき、安定したドラグ性能および良好なドラグフリー性能が得られる。
【図面の簡単な説明】
【図１】本発明の一実施形態に係る魚釣用リールの断面図である。
【図２】図１の魚釣用リールの要部拡大断面図である。
【符号の説明】
１…魚釣用両軸受型リール
１ａ…リール本体
２…スプール
４…スプール軸
３１Ａ…第１のドラグ押圧部材（移動側制動環体）
３１Ｂ…第２のドラグ押圧部材（固定側制動環体）
４２…ピン（係止突部）
４４…非円形部（第１の回り止め部）
【図１】
2004154023.tif 000003
【図２】
2004154023.tif 000004